【手続補正書】
【提出日】平成16年8月12日(2004.8.12)
【手続補正１】
【補正対象書類名】特許請求の範囲
【補正対象項目名】全文
【補正方法】変更
【補正の内容】
【特許請求の範囲】
【請求項１】
情報ビット（ａ０，ａ１，ａ２，ａ３及びａ４）を提供する段階と、
（２０，５）ＣＱＩコードのための５個の基底数列（Ｍｉ，ｎ）を提供する段階と、
前記情報ビットと基底数列とを結合して前記情報ビットをエンコーディングする段階と、
２０ビットコードワードを発生する段階と、を含み、前記基底数列（Ｍｉ，ｎ）は、次のように
【表１】
2005518136.tif 000001
定義されることを特徴とするチャネル品質情報（ＣＱＩ）コーディング方法。
【請求項２】
前記（２０，５）ＣＱＩコードは、
最後の基底数列ビットを４回反復して１６ビット基底数列を拡張させることで、５個の１６ビット基底数列を構成する（１６，５）ＴＦＣＩコードから獲得されることを特徴とする請求項１記載のチャネル品質情報（ＣＱＩ）コーディング方法。
【請求項３】
前記（２０，５）ＣＱＩコードは、
所定パンクチャリングパターンで１６ビットずつ３２ビット基底数列をパンクチャリングし、最後の基底数列ビットを４回反復することで、５個の３２ビット基底数列を構成する（３２，５）訂正（ｅｘｐｕｒｇａｔｅｄ）ＴＦＣＩコードから獲得されることを特徴とする請求項１記載のチャネル品質情報（ＣＱＩ）コーディング方法。
【請求項４】
前記結合は、
線形結合であることを特徴とする請求項１記載のチャネル品質情報（ＣＱＩ）コーディング方法。
【請求項５】
前記コードワードのビット（ｂｉ）は、
次のように
【数１】
2005518136.tif 000002
（ここで、ｉ＝０、…、１９である）
定義されることを特徴とする請求項１記載のチャネル品質情報（ＣＱＩ）コーディング方法。
【請求項６】
ａ）情報ビット（ａ０，ａ１，ａ２，ａ３及びａ４）を提供する段階と、
ｂ）ＴＦＣＩコードのための５個の基底数列（Ｍｉ，ｎ）を提供する段階と、
ｃ）前記情報ビットと基底数列とを結合して前記情報ビットをエンコーディングする段階と、
ｄ）中間コードワードを発生する段階と、
ｅ）２０ビットコードワードを発生するために４回反復された追加ビットを加算する段階と、を含むことを特徴とするチャネル品質情報（ＣＱＩ）コーディング方法。
【請求項７】
前記ＴＦＣＩコードは、
（１６，５）ＴＦＣＩコードであり、前記中間コードワードは、１６ビットで構成されることを特徴とする請求項６記載のチャネル品質情報（ＣＱＩ）コーディング方法。
【請求項８】
前記ＴＦＣＩコードは（３２，５）訂正ＴＦＣＩコードで、前記中間コードワードは３２ビットで構成され、前記段階（ｅ）以前に所定のパンクチャリングパターンで１６ビットずつ前記３２ビット中間コードワードをパンクチャリングする段階を更に含むことを特徴とする請求項６記載のチャネル品質情報（ＣＱＩ）コーディング方法。
【請求項９】
前記４回反復された追加ビットは、
各情報ビット中いずれか一つであることを特徴とする請求項６記載のチャネル品質情報（ＣＱＩ）コーディング方法。
【請求項１０】
前記追加ビットは、
最上位ビット（ＭＳＢ）であることを特徴とする請求項９記載のチャネル品質情報（ＣＱＩ）コーディング方法。
【請求項１１】
前記４回反復された追加ビットは、
前記中間コードワードからのビットであることを特徴とする請求項６記載のチャネル品質情報（ＣＱＩ）コーディング方法。
【請求項１２】
前記追加ビットは、
前記中間コードワードの最後のビットであることを特徴とする請求項１１記載のチャネル品質情報（ＣＱＩ）コーディング方法。
【請求項１３】
前記２０ビットコードワードは、
基底数列（Ｍｉ，ｎ）を使用して発生したコードワードと同一で、次のように
【表２】
2005518136.tif 000003
定義されることを特徴とする請求項６記載のチャネル品質情報（ＣＱＩ）コーディング方法。
【請求項１４】
２０ビットコードワードの形態でチャネル品質情報（ＣＱＩ）を基地局に提供するエンコーダを含む使用者装置と、
前記使用者装置と通信網との間の基地局インターフェースを含む無線通信網と、を含み、前記エンコーダは、情報ビット（ａ０，ａ１，ａ２，ａ３及びａ４）を受信し、前記情報ビットと基底数列とを結合して情報ビットをエンコードするために、５個の基底数列（Ｍｉ，ｎ）を使用することでコードワードを発生し、前記基底数列（Ｍｉ，ｎ）は、次のように
【表３】
2005518136.tif 000004
定義されることを特徴とする無線通信システム。
【請求項１５】
情報ビット（ａ０，ａ１，ａ２，ａ３及びａ４）を提供する段階と、
（２０，５）コードを使用する各情報ビットをエンコーディングする段階と、
前記エンコーディングの結果として２０ビットのコードワードを出力する段階と、を含み、前記（２０，５）コードは、５個の基底数列（Ｍｉ，ｎ）の規定された結合として次のように
【表４】
2005518136.tif 000005
定義されることを特徴とするチャネル関連情報コーディング方法。
【請求項１６】
前記出力コードワードビット（ｂｉ）は、
次のように
【数２】
2005518136.tif 000006
（ここで、ｉ＝０、…、１９である）
定義されることを特徴とする請求項１５記載のチャネル関連情報コーディング方法。
【請求項１７】
前記規定された結合は、
線形結合であることを特徴とする請求項１６記載のチャネル関連情報コーディング方法。
【請求項１８】
前記情報は、
チャネル品質情報であることを特徴とする請求項１５記載のチャネル関連情報コーディング方法。
【請求項１９】
情報ビット（ａ０，ａ１，ａ２，ａ３及びａ４）を提供する段階と、
（２０，５）コードのための５個の基底数列（Ｍｉ，ｎ）を提供する段階と、
前記情報ビットと基底数列とを線形結合して前記情報ビットをエンコーディングする段階と、
前記エンコーディングの結果として２０ビットのコードワードを出力する段階と、含み、前記（２０，５）コードは、各基底数列ビットを４回反復させて６ビット基底数列に拡張することで、５個の１６ビット基底数列を構成する（１６，５）ＴＦＣＩコードから獲得されることを特徴とするチャネル関連情報コーディング方法。
【請求項２０】
前記（２０，５）コードは、
次のように
【表５】
2005518136.tif 000007
定義されることを特徴とする請求項１９記載のチャネル関連情報コーディング方法。
【請求項２１】
前記各基底数列ビットは、
最後の基底数列ビットであることを特徴とする請求項１９記載のチャネル関連情報コーディング方法。
【請求項２２】
前記各基底数列ビットは、
最上位基底数列であることを特徴とする請求項１９記載のチャネル関連情報コーディング方法。
【請求項２３】
前記出力コードワードビット（ｂｉ）は、
次のように
【数３】
2005518136.tif 000008
（ここで、ｉ＝０、…、１９である）
定義されることを特徴とする請求項１９記載のチャネル関連情報コーディング方法。
【請求項２４】
情報ビット（ａ０，ａ１，ａ２，ａ３及びａ４）を提供する段階と、
（２０，５）コードのための５個の基底数列（Ｍｉ，ｎ）を提供する段階と、
前記情報ビットと基底数列とを線形結合して前記情報ビットをエンコーディングする段階と、
前記エンコーディングの結果として２０ビットのコードワードを出力する段階と、を含み、前記（２０，５）コードは、所定パンクチャリングパターンで１６ビットずつ３２ビット基底数列をパンクチャリングし、各基底数列ビットを４回反復させることで、５個の３２ビット基底数列を構成する（１６，５）訂正ＴＦＣＩコードから獲得されることを特徴とするチャネル関連情報コーディング方法。
【請求項２５】
前記（２０，５）コードは、
次のように
【表６】
2005518136.tif 000009
定義されることを特徴とする請求項２４記載のチャネル関連情報コーディング方法。
【請求項２６】
前記各基底数列ビットは、
最後の基底数列ビットであることを特徴とする請求項２４記載のチャネル関連情報コーディング方法。
【請求項２７】
前記各基底数列ビットは、
最上位基底数列ビットであることを特徴とする請求項２４記載のチャネル関連情報コーディング方法。
【請求項２８】
前記出力コードワードビット（ｂｉ）は、
次のように
【数４】
2005518136.tif 000010
（ここで、ｉ＝０、…、１９である）
定義されることを特徴とする請求項２４記載のチャネル関連情報コーディング方法。